(57)【要約】【課題】長時間録画がされたとしてもユーザが短時間で所望の番組を鑑賞することができる録画装置を提供する。【解決手段】制御部６は、現在選局され放送されている放送番組の該放送番組と同じチャンネルの次の放送番組の開始時刻情報をＥＰＧ情報に基づきメモリ９に記憶させ、ハードディスクドライブ５は、チューナ３からの映像音声情報をハードディスクに記録することを開始し、現在時刻がメモリ９に記憶された開始時刻情報が表す時刻になると、ハードディスクドライブ５は映像音声情報の記録を中止し、制御情報をハードディスクに記録された映像音声情報に付加してタイトルファイルを作成し、以降同様の動作が繰り返される。【選択図】図１
2007324952.tif 000002
【特許請求の範囲】
【請求項１】
ＥＰＧ情報を取得するＥＰＧ取得手段と、放送信号から選局チャンネルの放送信号を抽出し映像音声情報を出力する選局手段と、該映像音声情報を記録媒体に記録させる記録手段と、制御手段と、記憶手段と、を備え、
前記制御手段は、前記ＥＰＧ情報と前記選局手段が現在選局しているチャンネルと現在時刻とに基づき、現在選局され放送されている放送番組の該放送番組と同じチャンネルの次の放送番組の開始時刻情報を前記記憶手段に記憶させ、前記記録手段は、前記映像音声情報を前記記録媒体に記録させることを開始し、その後、現在時刻が前記記憶手段に記憶された前記開始時刻情報が表す時刻となると、前記記録手段は、前記記録媒体に記録された映像音声情報に制御情報を付加してタイトルファイルを作成し、
以降、前記制御手段は、現在選局され放送されている放送番組の該放送番組と同じチャンネルの次の放送番組の開始時刻情報を前記記憶手段に記憶させ、その後、現在時刻が前記記憶手段に記憶された前記開始時刻情報が表す時刻となると、前記記録手段は、前記記録媒体に記録された映像音声情報に制御情報を付加してタイトルファイルを作成するような動作を繰り返すことを特徴とする録画装置。
【請求項２】
ＥＰＧ情報を取得するＥＰＧ取得手段と、放送信号から選局チャンネルの放送信号を抽出し映像音声情報を出力する選局手段と、該映像音声情報を記録媒体に記録させる記録手段と、制御手段と、記憶手段と、を備え、
前記制御手段は、前記ＥＰＧ情報と前記選局手段が現在選局しているチャンネルと現在時刻とに基づき、現在選局され放送されている放送番組の該放送番組と同じチャンネルの次の放送番組の開始時刻情報を前記記憶手段に記憶させ、前記記録手段は、前記映像音声情報を前記記録媒体に記録させることを開始し、
その後、現在時刻が前記記憶手段に記憶された前記開始時刻情報が表す時刻となると、前記制御手段は、前記映像音声情報の記録開始から現在までの経過時間を表す経過時間情報を前記記憶手段に記憶させ、
以降、前記制御手段は、現在選局され放送されている放送番組の該放送番組と同じチャンネルの次の放送番組の開始時刻情報を前記記憶手段に記憶させ、その後、現在時刻が前記記憶手段に記憶された前記開始時刻情報が表す時刻となると、前記映像音声情報の記録開始から現在までの経過時間を表す経過時間情報を前記記憶手段に記憶させることを繰り返し、
その後、前記記録手段は、前記映像音声情報の記録を停止し、前記記録媒体に記録された映像音声情報に、前記記憶手段に記憶された経過時間情報を含む制御情報を付加してタイトルファイルを作成する、
ことを特徴とする録画装置。
【発明の詳細な説明】
【技術分野】
【０００１】
本発明は、録画装置に関する。
【背景技術】
【０００２】
従来から放送番組をハードディスクに記録させるハードディスクレコーダが普及している。このようなハードディスクレコーダにおいては、昨今のハードディスクの大容量化に伴い、長時間の録画が可能となってきている。
【０００３】
なお、本発明に関するものとして、例えば特許文献１には、放送番組本編部分とＣＭ部分との境界を音声形式の相違に基づき検出し、検出された境界においてコンテンツをチャプターに区分するようなコンテンツ処理装置が開示されている。
【特許文献１】特開２００５−６４９１４号公報
【発明の開示】
【発明が解決しようとする課題】
【０００４】
上記のようにハードディスクレコーダは長時間の録画が可能となっているが、長時間録画を行うと大量の放送番組が一つのタイトルとして録画されて、録画後、ユーザが所望の放送番組を鑑賞しようとしても早送りによって目的の放送番組を探し出す必要があり、所望の放送番組を鑑賞するのに時間がかかってしまうという問題がある。
【０００５】
上記問題点を鑑み、本発明は、長時間録画がされたとしてもユーザが短時間で所望の番組を鑑賞することができる録画装置を提供することを目的とする。
【課題を解決するための手段】
【０００６】
上記目的を達成するために本発明の録画装置は、ＥＰＧ情報を取得するＥＰＧ取得手段と、放送信号から選局チャンネルの放送信号を抽出し映像音声情報を出力する選局手段と、該映像音声情報を記録媒体に記録させる記録手段と、制御手段と、記憶手段と、を備え、
前記制御手段は、前記ＥＰＧ情報と前記選局手段が現在選局しているチャンネルと現在時刻とに基づき、現在選局され放送されている放送番組の該放送番組と同じチャンネルの次の放送番組の開始時刻情報を前記記憶手段に記憶させ、前記記録手段は、前記映像音声情報を前記記録媒体に記録させることを開始し、その後、現在時刻が前記記憶手段に記憶された前記開始時刻情報が表す時刻となると、前記記録手段は、前記記録媒体に記録された映像音声情報に制御情報を付加してタイトルファイルを作成し、
以降、前記制御手段は、現在選局され放送されている放送番組の該放送番組と同じチャンネルの次の放送番組の開始時刻情報を前記記憶手段に記憶させ、その後、現在時刻が前記記憶手段に記憶された前記開始時刻情報が表す時刻となると、前記記録手段は、前記記録媒体に記録された映像音声情報に制御情報を付加してタイトルファイルを作成するような動作を繰り返すことを特徴としている。
【０００７】
このような構成によれば、長時間録画がされたとしても、ユーザは、放送番組毎に作成されたタイトルファイルを選択して短時間で所望の放送番組を鑑賞することができる。
【０００８】
また、上記目的を達成するために本発明の録画装置は、ＥＰＧ情報を取得するＥＰＧ取得手段と、放送信号から選局チャンネルの放送信号を抽出し映像音声情報を出力する選局手段と、該映像音声情報を記録媒体に記録させる記録手段と、制御手段と、記憶手段と、を備え、
前記制御手段は、前記ＥＰＧ情報と前記選局手段が現在選局しているチャンネルと現在時刻とに基づき、現在選局され放送されている放送番組の該放送番組と同じチャンネルの次の放送番組の開始時刻情報を前記記憶手段に記憶させ、前記記録手段は、前記映像音声情報を前記記録媒体に記録させることを開始し、
その後、現在時刻が前記記憶手段に記憶された前記開始時刻情報が表す時刻となると、前記制御手段は、前記映像音声情報の記録開始から現在までの経過時間を表す経過時間情報を前記記憶手段に記憶させ、
以降、前記制御手段は、現在選局され放送されている放送番組の該放送番組と同じチャンネルの次の放送番組の開始時刻情報を前記記憶手段に記憶させ、その後、現在時刻が前記記憶手段に記憶された前記開始時刻情報が表す時刻となると、前記映像音声情報の記録開始から現在までの経過時間を表す経過時間情報を前記記憶手段に記憶させることを繰り返し、
その後、前記記録手段は、前記映像音声情報の記録を停止し、前記記録媒体に記録された映像音声情報に、前記記憶手段に記憶された経過時間情報を含む制御情報を付加してタイトルファイルを作成する、
ことを特徴としている。
【０００９】
このような構成によれば、長時間録画がされたとしても、ユーザは、経過時間情報に基づき放送番組の頭出しを次々に行え、所望の放送番組を短時間で探し出して鑑賞することができる。
【発明の効果】
【００１０】
本発明の録画装置によれば、長時間録画がされたとしてもユーザは短時間で所望の番組を鑑賞することができる。
【発明を実施するための最良の形態】
【００１１】
以下、本発明の実施形態の一例について図面を参照し説明する。図１は、本発明に係るハードディスクレコーダ１のブロック図である。
【００１２】
アンテナ２は、放送電波を受信し高周波信号に変換しチューナ３に送出する。チューナ３は、アンテナ２から入力される高周波信号から制御部６により指示されるチャンネルの高周波信号を抽出し映像情報および音声情報を出力する。また、チューナ３は、アンテナ２から入力される高周波信号からＥＰＧ（電子番組表）情報を抽出し出力する。
【００１３】
ＭＰＥＧコーデック４は、チューナ３からの映像情報および音声情報を圧縮したり、ハードディスクドライブ５がハードディスクから読み出した圧縮された映像情報および音声情報を伸長したりする。ハードディスクドライブ５は、ＭＰＥＧコーデック４が圧縮した映像情報および音声情報を内蔵するハードディスクに記録させたり、ハードディスクから圧縮された映像情報および音声情報を読み出したりする。また、ハードディスクドライブ５は、チューナ３が取得したＥＰＧ情報をハードディスクに記録したりハードディスクから読み出したりもする。
【００１４】
ＯＳＤ（Ｏｎ  Ｓｃｒｅｅｎ  Ｄｉｓｐｌａｙ）部１０は、制御部６からの指示に基づき図形信号や文字信号を生成し、チューナ３やＭＰＥＧコーデック４から入力される映像情報と合成してビデオ信号を生成し、不図示のテレビ等の表示装置に送出する。内部時計７は、時刻を計測する。リモコン受信部８は、不図示のリモコンから赤外線信号を受信しコード信号を制御部６に送出する。
【００１５】
このような構成の本発明に係るハードディスクレコーダ１の録画時の動作例について以下、図２に示すフローチャートに沿って説明する。ここで、ハードディスクにはＥＰＧ情報が予め記録されているものとする。
【００１６】
まず、ステップＳ２０で、不図示のリモコンが有する録画ボタンが押し下げられると、リモコン受信部８はリモコンから赤外線信号を受信しコード信号を制御部６に送出し、制御部６は録画ボタンが押し下げられたことを検出する。
【００１７】
すると、ステップＳ２１で、制御部６は、ハードディスクに記録されたＥＰＧ情報に基づき、ＥＰＧ情報が有するチャンネル情報のうち現在チューナ３が選局しているチャンネルを表すチャンネル情報に対応するＥＰＧ情報が有する放送開始時刻情報および放送終了時刻情報の組のうち、内部時計７で得られる現在時刻情報が表す時刻が放送開始時刻情報が表す時刻から放送終了時刻情報が表す時刻の間に含まれるような放送開始時刻情報および放送終了時刻情報の組を検索する。そして、制御部６は、検索された組の放送開始時刻情報が表す時刻よりも時間的に後であり直近の時刻を表す放送開始時刻情報を、ＥＰＧ情報が有するチャンネル情報のうち現在チューナ３が選局しているチャンネルを表すチャンネル情報に対応するＥＰＧ情報が有する放送開始時刻情報の中から検索する。そして、制御部６は、検索された放送開始時刻情報をメモリ９に記憶させる。つまり、制御部６は、現在選局され放送されている放送番組の該放送番組と同じチャンネルの次の放送番組の開始時刻情報をメモリ９に記憶させる。
【００１８】
また、このとき、制御部６は、上記で検索された放送開始時刻情報および放送終了時刻情報の組に対応するＥＰＧ情報が有する放送番組名情報もメモリ９に記憶させる。
【００１９】
そして、ステップＳ２２で、制御部６は、ＭＰＥＧコーデック４が圧縮したチューナ３からの映像音声情報をハードディスクに記録するようハードディスクドライブ５に指示し、ハードディスクドライブ５はハードディスクに映像音声情報を記録開始する。
【００２０】
その後、ステップＳ２３で、内部時計７で得られる現在時刻と上記ステップＳ２１でメモリ９に記憶された放送開始時刻情報が表す時刻とが一致すると、制御部６は、ハードディスクドライブ５に映像音声情報の記録中止を指示し、ハードディスクへの映像音声情報の記録が中止される。そして、制御部６は、タイトル名情報や映像音声情報の記録位置情報等からなる制御情報をハードディスクに記録するようハードディスクドライブ５に指示し、ハードディスクドライブ５は、ハードディスクに記録された映像音声情報に制御情報を付加してタイトルファイルをハードディスク上に作成する。ここで、上記タイトル名情報は、上記ステップＳ２１でメモリ９に記憶された放送番組名情報に基づく。
【００２１】
以降、ステップＳ２１〜Ｓ２３の動作が繰り返され、ある時点でリモコンが有する停止ボタンが押し下げられると、制御部６は、ハードディスクドライブ５に映像音声情報の記録中止を指示し、ハードディスクへの映像音声情報の記録が中止される。そして、制御部６は、制御情報をハードディスクに記録するようハードディスクドライブ５に指示し、ハードディスクドライブ５は、ハードディスクに記録された映像音声情報に制御情報を付加してタイトルファイルをハードディスク上に作成する。以上で録画完了となる。
【００２２】
その後、リモコンが有するタイトル一覧ボタンが押し下げられると、制御部６は、ハードディスクドライブ５がハードディスクから読み出したタイトル名情報に基づきＯＳＤ部１０に文字信号を生成するよう指示し、ＯＳＤ部１０は文字信号を生成し文字信号に基づくビデオ信号を不図示の表示装置に送出する。そして、表示装置には、タイトル名が一覧表示される。ここでのタイトル名は放送番組名となっている。ここで、リモコン操作によりあるタイトル名が選択されると、制御部６は、選択されたタイトル名に対応する映像音声情報をハードディスクから読み出すようハードディスクドライブ５に指示し、ハードディスクドライブ５はハードディスクから圧縮された映像音声情報を読み出しＭＰＥＧコーデック４に送出する。そして、ＭＰＥＧコーデック４は、圧縮された映像情報を伸長しＯＳＤ部１０に送出し、ＯＳＤ部１０は、伸長された映像情報に基づくビデオ信号を表示装置に送出する。すると、表示装置には、映像が再生表示される。
【００２３】
これにより、長時間録画がされたとしても、放送番組毎にタイトルファイルが作成され、ユーザは放送番組名であるタイトル名を選択して短時間で所望の放送番組を鑑賞することができる。
【００２４】
次に、本発明に係るハードディスクレコーダ１の録画時の他の動作例について以下、図３に示すフローチャートに沿って説明する。ここで、ハードディスクにはＥＰＧ情報が予め記録されているものとする。
【００２５】
まず、ステップＳ３０で、不図示のリモコンが有する録画ボタンが押し下げられると、リモコン受信部８はリモコンから赤外線信号を受信しコード信号を制御部６に送出し、制御部６は録画ボタンが押し下げられたことを検出する。
【００２６】
すると、ステップＳ３１で、制御部６は、ハードディスクに記録されたＥＰＧ情報に基づき、ＥＰＧ情報が有するチャンネル情報のうち現在チューナ３が選局しているチャンネルを表すチャンネル情報に対応するＥＰＧ情報が有する放送開始時刻情報および放送終了時刻情報の組のうち、内部時計７で得られる現在時刻情報が表す時刻が放送開始時刻情報が表す時刻から放送終了時刻情報が表す時刻の間に含まれるような放送開始時刻情報および放送終了時刻情報の組を検索する。そして、制御部６は、検索された組の放送開始時刻情報が表す時刻よりも時間的に後であり直近の時刻を表す放送開始時刻情報を、ＥＰＧ情報が有するチャンネル情報のうち現在チューナ３が選局しているチャンネルを表すチャンネル情報に対応するＥＰＧ情報が有する放送開始時刻情報の中から検索する。そして、制御部６は、検索された放送開始時刻情報をメモリ９に記憶させる。つまり、制御部６は、現在選局され放送されている放送番組の該放送番組と同じチャンネルの次の放送番組の開始時刻情報をメモリ９に記憶させる。
【００２７】
そして、ステップＳ３２で、制御部６は、ＭＰＥＧコーデック４が圧縮したチューナ３からの映像音声情報をハードディスクに記録するようハードディスクドライブ５に指示し、ハードディスクドライブ５はハードディスクに映像音声情報を記録開始する。
【００２８】
その後、ステップＳ３３で、内部時計７で得られる現在時刻と上記ステップＳ３１でメモリ９に記憶された放送開始時刻情報が表す時刻とが一致すると、制御部６は、映像音声情報の記録開始から現在までの経過時間を表す経過時間情報をメモリ９に記憶させる。
【００２９】
そして、ステップＳ３４で、上記ステップＳ３１と同様に制御部６は、現在選局され放送されている放送番組の次の放送番組の開始時刻情報をメモリ９に記憶させる。
【００３０】
その後、再びステップＳ３３で、内部時計７で得られる現在時刻と上記ステップＳ３４でメモリ９に記憶された放送開始時刻情報が表す時刻とが一致すると、制御部６は、映像音声情報の記録開始から現在までの経過時間を表す経過時間情報をメモリ９に記憶させる。
【００３１】
以降、ステップＳ３４、Ｓ３３の動作が繰り返され、ある時点でリモコンが有する停止ボタンが押し下げられると、制御部６は、ハードディスクドライブ５に映像音声情報の記録中止を指示し、ハードディスクへの映像音声情報の記録が中止される。そして、制御部６は、タイトル名情報、映像音声情報の記録位置情報、およびメモリ９に記憶されている経過時間情報等からなる制御情報をハードディスクに記録するようハードディスクドライブ５に指示し、ハードディスクドライブ５は、ハードディスクに記録された映像音声情報に制御情報を付加してタイトルファイルをハードディスク上に作成する。以上で録画完了となる。
【００３２】
その後、リモコンが有するタイトル一覧ボタンが押し下げられると、制御部６は、ハードディスクドライブ５がハードディスクから読み出したタイトル名情報に基づきＯＳＤ部１０に文字信号を生成するよう指示し、ＯＳＤ部１０は文字信号を生成し文字信号に基づくビデオ信号を不図示の表示装置に送出する。そして、表示装置には、タイトル名が一覧表示される。ここで、ハードディスクには上記の録画によるタイトルファイルのみが記録されているとすると、一つのタイトル名のみが表示される。
【００３３】
ここで、リモコン操作によりそのタイトル名が選択されると、制御部６は、選択されたタイトル名に対応する映像音声情報をハードディスクから読み出すようハードディスクドライブ５に指示し、ハードディスクドライブ５はハードディスクから圧縮された映像音声情報を読み出しＭＰＥＧコーデック４に送出する。そして、ＭＰＥＧコーデック４は、圧縮された映像情報を伸長しＯＳＤ部１０に送出し、ＯＳＤ部１０は、伸長された映像情報に基づくビデオ信号を表示装置に送出する。すると、表示装置には、録画された映像が最初から再生表示される。
【００３４】
その後、リモコンが有するスキップボタンが押し下げられると、制御部６は、ハードディスクに記録された経過時間情報のうち現在の映像再生位置よりも時間的に後で直近の位置を表す経過時間情報を検索し、検索された経過時間情報と、ハードディスクに記録された映像音声情報の記録位置情報とに基づきその経過時間情報に対応する読み出し位置を特定し、その読み出し位置から読み出すようハードディスクドライブ５に指示する。そして、ハードディスクドライブ５は、ハードディスク上の指示された読み出し位置から圧縮された映像音声情報を読み出しＭＰＥＧコーデック４に送出する。そして、ＭＰＥＧコーデック４は、圧縮された映像情報を伸長しＯＳＤ部１０に送出し、ＯＳＤ部１０は、伸長された映像情報に基づくビデオ信号を表示装置に送出する。すると、表示装置には、録画された映像の最初から上記検索された経過時間情報が表す経過時間だけ経過した時点の映像から再生表示される。ここでは、スキップボタンが押し下げられた時点で再生されていた放送番組の次の放送番組の最初から再生表示されることとなる。
【００３５】
以降、スキップボタンが押し下げられるたびに同様の動作が繰り返され、次々に放送番組の最初から再生表示される。これにより、長時間録画がされたとしても、ユーザはスキップボタンを押して所望の放送番組の頭出しを短時間で行い所望の放送番組を短時間で鑑賞することができる。
【図面の簡単な説明】
【００３６】
【図１】は、本発明に係るハードディスクレコーダのブロック図である。
【図２】は、本発明に係るハードディスクレコーダの録画時の動作例を示すフローチャートである。
【図３】は、本発明に係るハードディスクレコーダの録画時の他の動作例を示すフローチャートである。
【符号の説明】
【００３７】
１    ハードディスクレコーダ
２    アンテナ
３    チューナ
４    ＭＰＥＧコーデック
５    ハードディスクドライブ
６    制御部
７    内部時計
８    リモコン受信部
９    メモリ
１０    ＯＳＤ部
【図１】
2007324952.tif 000003
【図２】
2007324952.tif 000004
【図３】
2007324952.tif 000005